(57)【要約】【課題】  ３種類の異なった周波数の振動を単独で減衰させることが可能なダイナミックダンパを提供する。【解決手段】  ダイナミックダンパ１０は、取付金具１１と、その径方向外方に離間して同軸状に配置された質量金具１４と、取付金具１１と質量金具１４間を周方向の中心角θで１２０°以下の領域において連結するゴム弾性体連結部１７とを備えている。取付金具１１と質量金具１４間の上記領域の周方向長さを二等分する位置と軸心を結ぶ径線方向すなわち当該領域の中心角θを二等分する二等分線方向（図示Ｐ方向）が基準となる第１の共振周波数に調整されている。Ｐ方向に直交する径方向（図示Ｑ方向）が第１の共振周波数の略１／２倍である第２の共振周波数に調整されており、上記領域の周方向長さを二等分する位置を中心とする質量金具１４の径方向への首振り方向（図示Ｒ方向）が第１の共振周波数の略２倍である第３の共振周波数に調整されている。【選択図】    図１
2006266383.tif 000002
【特許請求の範囲】
【請求項１】
筒状の取付金具と、該取付金具の径方向外方又は径方向内方に離間して配置された質量金具と、該取付金具と質量金具間にて周方向の１２０°以下の領域のみに少なくとも１つ設けられて該取付金具と質量金具間を弾性的に連結するゴム弾性体連結部とを備え、該取付金具によって制振対象部材に取り付けられることを特徴とするダイナミックダンパ。
【請求項２】
前記質量金具が筒状であって、前記取付金具の径方向外方に配置されたことを特徴とする前記請求項１に記載のダイナミックダンパ。
【請求項３】
前記ゴム弾性体連結部が、互いに周方向に離間した一対のゴム連結部で構成されたことを特徴とする前記請求項１又は２に記載のダイナミックダンパ。
【請求項４】
前記ゴム弾性体連結部が、一つのゴム連結部で構成されたことを特徴とする前記請求項１又は２に記載のダイナミックダンパ。
【発明の詳細な説明】
【技術分野】
【０００１】
本発明は、取付金具と質量金具間がゴム弾性体連結部によって弾性的に連結されてなり、複数の周波数の振動を減衰させるダイナミックダンパに関する。
【背景技術】
【０００２】
従来、この種のダイナミックダンパとしては、例えば、筒状の取付金具とその径方向外方に配設された筒状の質量金具間が、軸心を中心とした径方向両側で一対のゴム弾性体連結部により連結されており、その共振周波数が、ゴム弾性体連結部による両金具の連結方向で２０〜３０Ｈｚの高周波数に、これに直交する方向で１０〜１５Ｈｚの低周波数に調整されていた。このダイナミックダンパは、取付金具が車両のステアリング装置の中間シャフト等に圧入によって固定されて、車両から伝播する２０〜３０Ｈｚの高周波数のシェイク振動をゴム弾性体の両金具の連結方向で減衰させ、１０〜１５Ｈｚのアイドル振動をゴム弾性体の連結方向と直交する方向で減衰させていた。ところで、中間シャフトには、これら二つの周波数の振動の他に、４０〜５０Ｈｚのさらに高い第３の周波数であるこもり音が生じているが、上記ダイナミックダンパのように取付金具と質量金具間が軸心を中心とした径方向両側で一対のゴム弾性体連結部によりそれぞれ連結されている構造では、このようなこもり音を減衰させることが困難であった。
【０００３】
また、他のダイナミックダンパとしては、例えば特許文献１に示すように、円筒状のブラケットの内側に周方向に等ピッチで３つのゴム弾性体を設け、各弾性体に固定したホルダプレートに円柱状の質量部材をスライド可能に支持させたものが知られている。しかし、このダイナミックダンパも、ゴム弾性体の径方向の剪断方向での固有振動数と、軸方向の剪断方向での固有振動数の二方向の振動を減衰させるものであり、三方向の異なる振動周波数の振動を減衰させるものではない。そのため、このような周波数の異なる３種類の振動を減衰させるために、従来は、それぞれ２種類の共振周波数に調整された二つのダイナミックダンパを用いる必要があり、そのため部品コストが高くなると共に、取付スペースが大きくなるという問題があった。
【特許文献１】特開平５−１０３８５号公報
【発明の開示】
【発明が解決しようとする課題】
【０００４】
本発明はこのような問題を解決しようとするもので、３種類の異なった周波数の振動を単独で減衰させることが可能なダイナミックダンパを提供することを目的とする。
【課題を解決するための手段】
【０００５】
上記目的を達成するために、本発明の構成上の特徴は、筒状の取付金具と、取付金具の径方向外方又は径方向内方に離間して配置された質量金具と、取付金具と質量金具間にて周方向の１２０°以下の領域のみに少なくとも１つ設けられて取付金具と質量金具間を弾性的に連結するゴム弾性体連結部とを備え、取付金具によって制振対象部材に取り付けられることにある。なお、ゴム弾性体連結部が設けられる周方向の領域が、１２０°以下の範囲であればよいが、好ましくは１００°以下である。周方向の領域が、１２０°より大きくなると、ダイナミックダンパによる３種類の周波数の振動を減衰させるという効果が適正に得られなくなる。
【０００６】
上記のように構成した本発明においては、取付金具と質量金具間を弾性的に連結するゴム弾性体連結部が取付金具と質量金具間にて周方向の１２０°以下の領域のみに少なくとも１つ設けられている。そのため、ダイナミックダンパに、当該領域の周方向長さを二等分する位置と軸心を結ぶ径線方向すなわち当該領域の角度を二等分する二等分線方向の共振モードと、これに直交する径方向の共振モードに加えて、上記領域の周方向長さを二等分する位置を中心とする質量金具の径方向への首振り方向の共振モードが生じる。そして、ダイナミックダンパは、上記領域の周方向長さを二等分する位置と軸心を結ぶ径線方向すなわち当該領域の角度を二等分する二等分線方向の第１の共振周波数と、これに直交する径方向の第２の共振周波数と、上記領域の周方向長さを二等分する位置を中心とする質量金具の径方向への首振り方向の第３の共振周波数に調整されている。そのため、ダイナミックダンパが、例えば車両のステアリング装置に取り付けられることにより、それぞれステアリングギアシャフトから伝達される上記第１から第３の共振周波数に相当する、２０〜３０Ｈｚの高周波数のシェイク振動、１０〜１５Ｈｚの低周波数のアイドル振動、及びさらに高い周波数である４０〜５０Ｈｚのこもり音を減衰させることができる。その結果、本発明においては、従来と同様の簡易な構成の単一のダイナミックダンパによって、３種類の異なる共振周波数の振動を減衰させることができる。
【０００７】
また、本発明において、質量金具が筒状であって、取付金具の径方向外方に配置されることが好ましい。このように、質量金具が、取付金具の外方に配置されたことにより、質量金具の大きさの調節を自由に行うことができる。そのため、共振周波数の調整を行うことができ、また振動入力の大小に応じたダイナミックダンパの減衰性能に調節することができる。また、質量金具の内径を大きくすることにより、ゴム弾性体連結部の長さを長く調節することができ、それにより、ばね定数を低くすることができる。
【０００８】
また、本発明において、ゴム弾性体連結部が、互いに周方向に離間した一対のゴム連結部で構成されてもよい。これにより、ゴム弾性体連結部の互いに離間した一対のゴム連結部の角度を調節することができ、それにより、上記第１の共振周波数と第２の共振周波数との比を変更することができる。一対のゴム連結部の角度を小さくすることにより、第１の共振周波数の第２の共振周波数に対する比を大きくすることができ、角度を大きくすることにより、第１の共振周波数の第２の共振周波数に対する比を小さくすることができる。また、一対のゴム連結部の角度を変えずに厚さを薄くすることにより、第１〜第３の共振周波数を低くすることができる。
【０００９】
また、本発明において、ゴム弾性体連結部が、一つのゴム連結部で構成されてもよい。このように、ゴム弾性体連結部が、一つのゴム連結部で構成されたことにより、ゴム連結部が複数の場合に比べて金具からの拘束が少なくなり、そのため、ゴム弾性体連結部が複数の場合に比べて、共振周波数を高周波数に調整することが容易になる。
【発明の効果】
【００１０】
本発明によれば、ダイナミックダンパは、取付金具と質量金具間にて周方向の１２０°以下の領域の周方向長さを二等分する位置と軸心を結ぶ径線方向すなわち当該領域の角度を二等分する二等分線方向の第１の共振周波数と、これに直交する径方向の第２の共振周波数と、上記領域の周方向長さを二等分する位置を中心とする質量金具の径方向への首振り方向の第３の共振周波数に調整されており、単一のダイナミックダンパによって３種類の異なった周波数の振動を減衰させることができる。その結果、本発明においては、従来と同様の簡易な構成の１個のダイナミックダンパでよいため、ダイナミックダンパのコストを大幅に削減できると共に、ダイナミックダンパの取付スペースを低減することができる。
【００１１】
また、本発明においては、質量金具を取付金具の外方に配置させることにより、質量金具の大きさの調節が自由に行うことができ、共振周波数の調整を行うことができ、振動入力の大小に応じたダイナミックダンパの減衰性能に調節することができ、さらに、質量金具の内径を大きくしてゴム弾性体連結部の長さを長くすることにより、そのばね定数を低くすることができる。また、本発明において、ゴム弾性体連結部を互いに離間した一対のゴム連結部で構成することにより、両ゴム弾性体の角度を調節することができ、第１の共振周波数と第２の共振周波数との比を変更することができる。また、ゴム弾性体連結部を１つのゴム連結部にすることにより、共振周波数を高周波数に調整することができる。
【発明を実施するための最良の形態】
【００１２】
以下、本発明の実施形態について図面を用いて説明する。図１、図２は、実施例１である車両のステアリング装置の中間シャフトに取り付けられるダイナミックダンパをＩ−Ｉ線断面図及び側面図により示したものであり、また、図３は、ダイナミックダンパのシャフトへの取り付け状態を説明図により示したものである。ダイナミックダンパ１０は、筒状の取付金具１１と、取付金具１１の径方向外方に離間して同軸状に配置された質量金具１４と、取付金具１１と質量金具１４間を周方向の中心角θで略１００°の領域において連結するゴム弾性体連結部１７とを備えている。
【００１３】
取付金具１１は、円筒形の薄肉のストレートなパイプであり、その表面全体が薄肉の均一な厚さのゴム弾性体製の被覆部１２により被覆されている。また、被覆部１２には、内周側の周方向に等間隔な複数箇所にて、複数の突起部１３が軸方向の両端側を除いた中間部分にて軸心方向にわずかに突出して設けられている。質量金具１４は、厚肉の円筒形状でストレートな軸方向長さが取付金具１１の略１．５倍程度であるパイプであり、その表面が薄肉の均一な厚さのゴム弾性体製の被覆部１５により被覆されている。
【００１４】
なお、質量金具１４の軸方向両端にて、被覆部１５の径方向に対向する各２ヶ所設けた切欠き部１５ａは、質量金具１４を加硫成形の金型にセットする際の金型の支持箇所に相当するものである。実施例１では、一方の一対の切欠き部１５ａがゴム弾性体連結部１７の位置と対応しており、ダイナミックダンパ１０を中間シャフト１へ組み付ける際の位置合せに用いられる。取付金具１１は、質量金具１４内の軸方向中間位置に配置されて、軸方向中間位置を中心として、軸方向に対称となっている。取付金具１１の被覆部１２外周面と質量金具１４の被覆部１５内周面との間の径方向の隙間は、被覆部１２を含めた取付金具１１の径方向厚さと同程度である。
【００１５】
ゴム弾性体連結部１７は、取付金具１１と質量金具１４間において、取付金具１１の軸方向中間を挟んで軸方向全長の略２／３の範囲でかつ周方向の中心角θで略１００°の領域に配設されて両金具１１，１４間を弾性的に連結している。ゴム弾性体連結部１７は、この中心角θで略１００°の領域を周方向に略３等分して中間の空間部１９を挟んだ周方向両側に設けられた同一周方向長さの一対のゴム連結部１８により構成されており、一対のゴム連結部１８は空間部１９を挟んで周方向に対称に配置されている。ゴム弾性体連結部１７は、ゴム被覆部１２，１５と共に、取付金具１１及び質量金具１４を成形金型にセットして、ゴム加硫成形を行うことにより一体で形成され、ダイナミックダンパ１０が得られる。
【００１６】
ダイナミックダンパ１０は、図２に示すように、取付金具１１と質量金具１４間にて上記中心角θで略１００°の領域の周方向長さを二等分する位置（空間部１９の周方向長さを二等分する位置に対応する）と軸心を結ぶ径線方向すなわち当該領域の中心角θを二等分する二等分線方向（図示Ｐ方向）が基準となる第１の共振周波数に調整されている。また、Ｐ方向に直交する径方向（図示Ｑ方向）が第１の共振周波数の略１／２倍の周波数である第２の共振周波数に調整されており、上記領域の周方向長さを二等分する位置（空間部１９の周方向長さを二等分する位置に対応する）を中心とする質量金具１４の径方向への首振り方向（図示Ｒ方向）が第１の共振周波数の略２倍の周波数である第３の共振周波数に調整されている。本実施例１においては、第１、第２及び第３の共振周波数が、それぞれステアリングギアシャフトから伝達される、２０〜３０Ｈｚの高周波数のシェイク振動、１０〜１５Ｈｚの低周波数のアイドル振動、及び４０〜５０Ｈｚのこもり音に対応している。
【００１７】
ダイナミックダンパ１０は、図３に示すように、制振対象部材であるステアリング装置の中間シャフト１外周に取付金具１１を圧入により挿嵌して取り付けられる。中間シャフト１は、下側の自在継手２を介してステアリングギアシャフト３に接続され、上側の自在継手４を介してステアリングシャフト５に接続されている。ダイナミックダンパ１０は、ステアリングギアシャフト３から伝播する振動を減衰させて、ステアリングシャフト５への振動の伝達を抑えるようになっている。
【００１８】
上記構成の実施例１においては、ダイナミックダンパ１０は、上記Ｐ方向、Ｑ方向及びＲ方向の３方向の共振周波数が、ステアリングギアシャフト３から伝達される２０〜３０Ｈｚの高周波数のシェイク振動、１０〜１５Ｈｚの低周波数のアイドル振動、及び４０〜５０Ｈｚのこもり音にそれぞれ対応して調整されている。そのため、単一のダイナミックダンパ１０によってこれら３種類の異なった周波数の振動を減衰させることができる。その結果、本実施例１においては、従来と同様の簡易な構成の１個のダイナミックダンパ１０を用いればよいため、ダイナミックダンパ１０に要するコストを大幅に削減できると共に、ダイナミックダンパ１０の取付スペースを低減することができる。
【００１９】
また、実施例１においては、質量金具１４が、取付金具１１の外方に配置されたことにより、質量金具１４の大きさの調節を自由に行うことができる。そのため、ダイナミックダンパ１０の共振周波数の調整を行うことができ、また振動入力の大小に応じたダイナミックダンパ１０の減衰性能に調節することができる。また、質量金具１４の内径を大きくすることにより、ゴム弾性体連結部１７の径方向長さを長く調節することができ、それによりダイナミックダンパ１０のばね定数を低くすることができる。
【００２０】
さらに、ゴム弾性体連結部１７の互いに離間した一対のゴム連結部１８の角度を調節することができ、それにより、上記Ｐ方向の第１の共振周波数と、これに直交するＱ方向の第２の共振周波数との比を変更することができる。一対のゴム連結部１８の角度を小さくすることにより、第１の共振周波数の第２の共振周波数に対する比を大きくすることができ、また、一対のゴム連結部１８の角度を大きくすることにより、第１の共振周波数の第２の共振周波数に対する比を小さくすることができる。また、一対のゴム連結部１８の角度を変えずに厚さを薄くすることにより、第１〜第３の共振周波数を低くすることができる。なお、ダイナミックダンパ１０は、互いに同軸状に配置された取付金具１１と質量金具１４間をゴム弾性体連結部１７で連結する構造であるため、ゴム弾性体連結部１７の損傷により質量金具１４が分離したとしても、質量金具１４が中間シャフト１から脱落することもない。
【００２１】
つぎに、実施例２について説明する。
実施例２においては、ダイナミックダンパ１０Ａにおいて、実施例１のゴム弾性体連結部１７に代えて、図４に示すように、ゴム弾性体連結部２１を一つのゴム連結部で構成したものである。実施例２では、ゴム弾性体連結部２１は、周方向の中心角θで略６０°の領域に設けられている。このダイナミックダンパ１０Ａでは、ゴム弾性体連結部２１の周方向長さを二等分する位置と軸心を結ぶ径線方向すなわち中心角θを二等分する二等分線方向が第１の共振周波数に調整されたＰ方向に対応している。また、Ｐ方向に直交する径方向（図示Ｑ方向）が第１の共振周波数の略１／２倍の周波数である第２の共振周波数に調整されており、ゴム弾性体連結部２１の周方向長さを二等分する位置を中心とする質量金具１４の径方向への首振り方向（図示Ｒ方向）が第１の共振周波数の略２倍の周波数である第３の共振周波数に調整されている。その他、取付金具１１、質量金具１４等については、実施例１と同様である。実施例２においては、ゴム弾性体連結部２１が、一つのゴム連結部で構成されたことにより、ゴム連結部が複数の場合に比べて金具からの拘束が少なくなり、ゴム弾性体連結部２１が複数の場合に比べて振動の自由度が高められる。その結果、実施例１のダイナミックダンパ１０に比べて共振周波数を高周波数に調整することが容易になる。
【００２２】
なお、上記実施例１，２においては、取付金具１１側の軸方向長さが質量金具１４側より短くなっているが、これに代えて、取付金具１１側の方を長くしたり、あるいは両者の長さを同一にしたりすることも可能である。また、上記実施例１，２では、ゴム弾性体連結部１７，２１が、２つと１つのゴム連結部により構成されているが、中心角θで１２０°以下の領域内であれば、３つ以上のゴム連結部とすることもできる。さらに、上記実施例１，２では、取付金具１１が円筒形になっているが、これに代えて、軸方向両端間に延びたスリットを設けた軸直角断面がＣ形状の筒状とすることもできる。また、質量金具１４についても取付金具１１と同様に円筒形になっているが、これに代えて、軸方向両端間に延びたスリットを設けた軸直角断面がＣ形状の筒状とすることもできる。
【００２３】
つぎに、実施例３について説明する。
実施例３においては、実施例１，２と異なり、質量金具を筒状の取付金具の径方向内方に離間して配置させたものである。図５に示すように、ダイナミックダンパ３０は、ゴム弾性体の被覆部３２で被覆された円筒形の取付金具３１の径方向内方に離間して被覆部３５で被覆された円柱形の質量金具３４が同軸状に配置されており、取付金具３１と質量金具３４間が１つのゴム連結部からなるゴム弾性体連結部３６によって連結されている。実施例３では、ゴム弾性体連結部３６は、周方向の中心角θで略４５°の領域に設けられている。このダイナミックダンパ３０では、ゴム弾性体連結部３６の周方向長さを二等分する位置と軸心を結ぶ径線方向すなわち中心角θを二等分する二等分線方向が第１の共振周波数に調整されたＰ方向に対応している。また、Ｐ方向に直交する径方向（図示Ｑ方向）が第１の共振周波数の略１／２倍の周波数である第２の共振周波数に調整されており、ゴム弾性体連結部３６の周方向長さを二等分する位置を中心とする質量金具３４の径方向への首振り方向（図示Ｒ方向）が第１の共振周波数の略２倍の周波数である第３の共振周波数に調整されている。
【００２４】
取付金具３１の被覆部３２の外周面には、周方向に等間隔な複数箇所でわずかに突出する突起部３３が設けられている。このダイナミックダンパ３０は、振動入力の小さい、例えば車両のヘッドレストにおける防振用として用いられ、ヘッドレスト内の支持パイプ内に取付金具３１側にて圧入して挿嵌することにより固定される。このダイナミックダンパ３０によっても、実施例２と同様に、ヘッドレスト内に伝播する３種類の異なった周波数、特に高周波数の振動を抑えることができる。
【００２５】
なお、上記実施例３においては、取付金具３１側の軸方向長さが質量金具３４側より長くなっているが、これに代えて、質量金具３４側の方を長くしたり、あるいは両者の長さを同一にしたりすることも可能である。また、上記実施例３では、ゴム弾性体連結部３６が、１つのゴム連結部により構成されているが、中心角θで１２０°以下の領域内であれば、２つ以上のゴム連結部とすることもできる。さらに、上記実施例３では、取付金具３１が円筒形になっているが、これに代えて、軸方向両端間に延びたスリットを設けた軸直角断面がＣ形状の筒状とすることもできる。また、質量金具３４は円柱形になっているが、これに代えて、種々の棒状あるいは筒状とすることもできる。
【００２６】
なお、上記各実施例に示したダイナミックダンパについては、車両の以外の３種類の異なった周波数の振動を生じる制振対象部材に適用することも可能である。また、上記各実施例に示したダイナミックダンパの各部分の構造については一例であり、本発明の主旨を逸脱しない範囲において、種々変更して実施することができる。
【産業上の利用可能性】
【００２７】
本発明は、ダイナミックダンパは、ゴム弾性体連結部が設けられる取付金具と質量金具間にて周方向の１２０°以下の領域の周方向長さを二等分する位置と軸心を結ぶ径線方向すなわち当該領域の角度を二等分する二等分線方向の第１の共振周波数と、これに直交する径方向の第２の共振周波数と、上記領域の周方向長さを二等分する位置を中心とする質量金具の径方向への首振り方向の第３の共振周波数に調整されており、簡易な構成の単一のダイナミックダンパによって３種類の異なった周波数の振動を減衰させることができるため、製品コストが安価になると共に、ダイナミックダンパの取付スペースを低減することができので、有用である。
【図面の簡単な説明】
【００２８】
【図１】本発明の実施例１であるダイナミックダンパを示す図２のＩ−Ｉ線方向の断面図である。
【図２】同ダイナミックダンパを示す側面図である。
【図３】同ダイナミックダンパのステアリング装置への取付状態を概略的に説明する説明図である。
【図４】実施例２であるダイナミックダンパを示す側面図である。
【図５】実施例３であるダイナミックダンパを示す図６のＶ−Ｖ線方向の断面図である。
【図６】同ダイナミックダンパを示す側面図である。
【符号の説明】
【００２９】
１０，１０Ａ…ダイナミックダンパ、１１…取付金具、１４…質量金具、１７…ゴム弾性体連結部、１８…ゴム連結部、２１…ゴム弾性体連結部、３０…ダイナミックダンパ、３１…取付金具、３４…質量金具、３６…ゴム弾性体連結部。
【図１】
2006266383.tif 000003
【図２】
2006266383.tif 000004
【図３】
2006266383.tif 000005
【図４】
2006266383.tif 000006
【図５】
2006266383.tif 000007
【図６】
2006266383.tif 000008